(57)【要約】【課題】収納した未使用のサニタリー用品を隠蔽しつつも取り出しが容易であり、使用済みのサニタリー用品も収納することができるサニタリー容器を提供する。【解決手段】サニタリー容器１は、容器本体１０と、前記容器本体１０の上方の開口部１１１を閉塞する蓋１１２とを備えている。容器本体１０は、有底筒体の高さ方向略中間部に水平方向の隔壁１０１を有し、形成された空間のうち、最も上方に位置する空間１１０は上方に形成された開口部１１１を介して外部と連通しており、最も上方に位置する空間１１０よりも下方に位置する空間１２０は、空間１２０が形成された領域と対応する位置の側面に形成された開口部１２１を介して外部と連通している。【選択図】図１
2015019850.tif 000002
【特許請求の範囲】
【請求項１】
有底筒体の内部の空間を高さ方向に区分けする仕切りを有し、形成された空間のうち、最も上方に位置する空間が上方に形成された開口部を介して外部と連通し、前記最も上方に位置する空間よりも下方に位置する空間が同空間毎に形成された側方開口部を介して外部と連通した容器本体と、
前記容器本体の上方の開口部を閉塞する蓋とを備える
サニタリー容器。
【請求項２】
前記容器本体を長手方向中心軸の周方向へ旋回可能に保持する基台部を備える
請求項１に記載のサニタリー容器。
【請求項３】
前記空間の内底面が水平に形成された
請求項１または請求項２に記載のサニタリー容器。
【請求項４】
前記容器本体が陶磁器で形成された
請求項１、請求項２または請求項３に記載のサニタリー容器。
【請求項５】
上下方向に複数の空間を有し、該空間毎に形成されると共に同部分を介して前記空間と外部とを連通させる開口部が周面に複数形成された有底筒状の容器本体を備える
サニタリー容器。
【発明の詳細な説明】
【技術分野】
【０００１】
本発明はサニタリー容器に関する。更に詳しくは、２以上の収納空間を有するサニタリー容器に関する。
【背景技術】
【０００２】
従来から、トイレには使用済み生理用品等の汚物を収めるべく汚物入れが置いてあり、その一例として特許文献１に記載されたサニタリーボックスが提案されている。
【０００３】
図６に示す特許文献１記載のサニタリーボックス９は、紙材等の可燃性材料で形成されたボックス本体９１と、ボックス本体９１の上部開口部に着脱自在且つ開閉自在な蓋体９２１を有する蓋部材９２と、ボックス本体９１の下部を支持する基台部９３とからなる。そして、ボックス本体９１は、適宜に交換自在に形成され、ボックス本体９１上部を閉塞状態にできる折り目を設け、蓋部材及び／又は基台部には芳香剤又は消臭剤が収納されている。なお、この蓋部材及び／又は基台部には芳香剤又は消臭剤が収納されている箇所は、消臭剤収納部９２２である。
【先行技術文献】
【特許文献】
【０００４】
【特許文献１】特開平１０−１２７５２９号公報
【発明の概要】
【発明が解決しようとする課題】
【０００５】
しかし、一般的に家庭等におけるトイレは狭く造られており、特許文献１記載のサニタリーボックスを設置した場合はゴミ収納のみという単機能であるにも関わらず、場所を取って邪魔である。
【０００６】
一方、自宅のトイレには自身の必要に応じてサニタリー用品を置くことがあるが、自宅のトイレであっても、サニタリー用品の使用者以外の家族、来訪者も利用することがあるので、自身が使用しているサニタリー用品を家族や来訪者等の他人から見られてしまうことがある。
【０００７】
このような場合、サニタリー用品が見られたことにより、生理の時期や、尿漏れ等の疾患の有無など通常は他人に知られたくない個人の私生活上の事実に関する情報が、仮に推測の域を出ない程度であっても他人に認知されることになり、好ましくない。
【０００８】
また、トイレ内の限られたスペースに、未使用のサニタリー用品を入れる容器と、前記のようなサニタリーボックスが個別に置いてあると、それぞれが保管場所を取り、邪魔である。
【０００９】
本発明は以上の点に鑑みて創案されたものであって、収納した未使用のサニタリー用品を隠蔽しつつも取り出しが容易であり、使用済みのサニタリー用品も収納することができるサニタリー容器を提供することを目的とするものである。
【課題を解決するための手段】
【００１０】
本発明は、有底筒体の内部の空間を高さ方向に区分けする仕切りを有し、形成された空間のうち、最も上方に位置する空間が上方に形成された開口部を介して外部と連通し、前記最も上方に位置する空間よりも下方に位置する空間が同空間毎に形成された側方開口部を介して外部と連通した容器本体と、前記容器本体の上方の開口部を閉塞する蓋とを備えるサニタリー容器である。
【００１１】
ここで、有底筒体の内部の空間を高さ方向に区分けする仕切りによって、容器本体内部の上下方向に二以上の空間を形成することができる。
【００１２】
また、最も上方に位置する空間及びこの空間と外部とを連通させた上方側の開口部によって、最も上方に位置する空間内に物を出し入れすることができる。
【００１３】
また、最も上方に位置する空間よりも下方に位置する空間及びこの空間毎に形成されたこの空間と外部とを連通させた側方開口部によって、最も上方に位置する空間よりも下方に位置する空間内に物を出し入れすることができる。
【００１４】
また、蓋によって、最も上方に位置する空間内に収められた物が隠蔽され、この空間を閉塞して出入りする空気の流れを遮断することができる。
【００１５】
また、容器本体を長手方向中心軸の周方向へ旋回可能に保持する基台部を備えるものである場合は、基台部によって、容器本体が長手方向中心軸の周方向に旋回可能に保持されるので、容器本体側面の開口部分を正面側又は背面側に向ける動作をスムーズに行うことができ、サニタリー容器を持ち上げて或いは引き摺って先の動作を行う必要がなくなる。
【００１６】
また、空間の内底面が水平に形成されたものである場合は、空間の内底面が水平に形成されたことによって、収容物が内底面上に安定して載置され、出し入れもしやすくなる。
【００１７】
また、容器本体が陶磁器で形成されたものである場合は、容器本体が陶磁器で形成されたことによって、重量が増してサニタリー容器全体として重心が安定する。
【００１８】
本発明は、上下方向に複数の空間を有し、該各空間毎に形成されると共に同部分を介して前記空間と外部とを連通させる開口部が周面に複数形成された有底筒状の容器本体を備えるサニタリー容器である。
【００１９】
ここで、容器本体内部の上下方向にある複数の空間と、各空間内と外部とを連通させたそれぞれの開口部とによって、各開口部を介して各々の空間内に物を出し入れすることができる。
【００２０】
本明細書及び本特許請求の範囲においては、サニタリー用品は主に生理用品、おむつ、パンティライナー、尿吸収パッド等の衛生用品を含む意味で使用しているが、これに限定するものではなく、例えば、使い捨ての便座のカバーシート、便座除菌シート等の不溶性のトイレ用品等であってもよい。
【発明の効果】
【００２１】
本発明のサニタリー容器によれば、収納した未使用のサニタリー用品を隠蔽しつつも取り出しが容易であり、使用済みのサニタリー用品も収納することができる。
【図面の簡単な説明】
【００２２】
【図１】第１実施形態に係るサニタリー容器の内部の構造を破線で示した斜視説明図である。
【図２】図１に示すサニタリー容器をトイレに設置した場合を示しており、サニタリー容器の使用時（ａ）と不使用時（ｂ）を表した使用状態説明図である。
【図３】図１に示すサニタリー容器の変形例の内部の構造を破線で示した斜視説明図である。
【図４】第２実施形態に係るサニタリー容器の内部の構造を破線で示した斜視説明図である。
【図５】第３実施形態に係るサニタリー容器の内部の構造を破線で示した斜視説明図である。
【図６】特許文献１記載の発明を示した側面図である。
【発明を実施するための形態】
【００２３】
図１乃至図５を参照して、本発明の実施の形態を更に詳細に説明する。なお、各図における符号は、煩雑さを軽減し理解を容易にする範囲内で付している。
【００２４】
〔第１実施形態〕 
本発明の一の実施の形態（第１実施形態）を、図１に基づいて説明する。 
図１に示すサニタリー容器１は、内部空間を上下に仕切る隔壁１０１が高さ方向略中間部に水平方向へ形成されている有底円筒状の本体部１０と、本体部１０上部に配置される蓋１１２とを備えている。本体部１０が有する底は、底部１０２である。
【００２５】
隔壁１０１で仕切られた本体部１０内部空間の上方側は、第１空間部１１０となる。
本体部１０上方は開口して上部開口部１１１を構成しており、第１空間部１１０が上部開口部１１１を介して外部と連通している。
【００２６】
蓋１１２は、上面につまみ１１３を有する円盤形であり、その外径が上部開口部１１１の内径と略同じである。蓋１１２は上部開口部１１１を略気密に閉塞可能に形成されている。
【００２７】
隔壁１０１で仕切られた本体部１０内部空間の下方側かつ底部１０２上面の間の空間は、第２空間部１２０となる。第２空間部１２０が形成された領域と対応する位置の本体部１０側面には、側方開口部１２１が設けられている。側方開口部１２１は、正面視の形状が上方ないし側方が円弧状である半円形に形成されている。第２空間部１２０は側方開口部１２１を介して外部と連通している。
【００２８】
なお、本体部１０は、課題を解決するための手段に記載された「容器本体」に相当し、同様に、隔壁１０１は「仕切り」に、第１空間部１１０は「最も上方に位置する空間」に、上部開口部１１１は「上方に形成された開口部」に、第２空間部１２０は「下方に位置する空間」に、それぞれ相当する。
【００２９】
（作  用）
図１及び図２を参照して、サニタリー容器１の作用を説明する。なお、本実施の形態において収納対象となるものは、未使用生理用品５１と使用済み生理用品５２である。
【００３０】
サニタリー容器１をトイレの隅、例えば、図２（ａ）及び（ｂ）に示すように便器Ｔの横等に設置する。このとき、側方開口部１２１を介して、第２空間部１２０へ未使用生理用品５１を入れておく（図２（ａ）参照）。
【００３１】
通常時には、側方開口部１２１が壁側を向くように回転させておく。このように使用することで、サニタリー容器１内の収納物である未使用生理用品５１を見えなくすることができるので見栄えが良く、少なくとも見苦しくはない。未使用生理用品５１等のサニタリー用品が見えなくなることにより、自宅のトイレを他人に利用させた場合であっても、通常は他人に知られたくない個人の私生活上の事実に関する情報が認知されないか又は認知されにくくなる。なお、ここでいう通常時とは、不使用時とも換言できる。
【００３２】
未使用生理用品５１を着用するか又は着用しているサニタリー用品である生理用品を交換、廃棄するときは、本体部１０を回転させて、側方開口部１２１を正面側に移動させれば、すぐに未使用生理用品５１を取り出すことができるので、２アクションで用事が済んで便利が良い。なお、着用しているサニタリー用品を交換、廃棄するときには、使用済み生理用品５２が発生する。
【００３３】
発生した使用済み生理用品５２は、サニタリー容器１のつまみ１１３を持って蓋１１２を持ち上げて上部開口部１１１を開け、上部開口部１１１を介して第１空間部１１０へ入れ、蓋１１２を閉める。これにより上部開口部１１１が略気密に閉塞され、第１空間部１１０内に収められた使用済み生理用品５２が隠蔽され、かつ、生じる臭気の漏出が遮断される。
【００３４】
このように、未使用品とその廃棄物入れが、サニタリー容器１として一体にまとめられているので場所を取らず、自宅トイレ等の狭い場所でも好適に使用できる。
【００３５】
図３に示すサニタリー容器３は、サニタリー容器１の変形例であって構造が概ね共通しているため、重複する部分の説明を省略し、相違する部分についてのみ説明する。なお、サニタリー容器３の作用は、サニタリー容器１と共通しているため、説明を省略する。
【００３６】
図３に示すサニタリー容器３は、隔壁３０１により内部空間が上下に仕切られた有底角筒状の本体部３０と、本体部３０上部に配置される蓋３１２とを備えている。本体部３０が有する底は、底部３０２である。
【００３７】
蓋３１２は、上面につまみ３１３を有する四角形の板体であり、その大きさが上部開口部３１１の大きさと略同じであり、蓋３１２により上部開口部３１１を閉塞可能に形成されている。
【００３８】
本体部３０は、角筒状に形成されていること以外、本体部１０と同様の構成であるため、説明を省略する。なお、第１空間部３１０は第１空間部１１０と、上部開口部３１１は上部開口部１１１と、第２空間部３２０は第２空間部１２０と、側方開口部３２１は側方開口部１２１と、それぞれ対応する構成である。
【００３９】
本実施形態及び下記の実施形態において、サニタリー容器を形成する材質は特に限定するものではないが、例えば、ポリプロピレン、ＡＢＳ樹脂等の各種合成樹脂、紙質系素材、木質系素材により形成された場合は、加工が容易で、比較的安価に製造でき、また、軽量で取り回しが良い。
【００４０】
ステンレススチール、アルミニウム合金等の各種金属により形成された場合は、加工が容易で、金属の質感が美観を発揮する。また、生理用品等のサニタリー用品は軽量であるため、サニタリー容器自体も軽量であるときは若干安定性に欠けることがあるが、各種金属であれば、その重量によりサニタリー容器全体として重心が安定する。
【００４１】
陶磁器により形成された場合は、その質感が与える審美性が向上する。また、先に述べた金属の場合と同様に、その重量によりサニタリー容器全体として重心が安定する。
【００４２】
本実施形態及び下記の実施形態において、サニタリー用品の一例として生理用品を挙げて説明しているが、これに限定するものではなく、設置箇所がトイレであればそこで使用するもの、例えば大人用おむつ、パンティライナー、尿吸収パッド等であってもよいし、デパート等に設置された授乳室兼おむつ替えスペースであれば、そこで使用する乳幼児用おむつ、お尻拭き等であってもよく、設置環境や用途により適宜変更することができる。
【００４３】
〔第２実施形態〕 
本発明の他の実施の形態（第２実施形態）を、図４に基づいて説明する。なお、本実施形態において説明するサニタリー容器２は、サニタリー容器１と構造が概ね共通しているため、重複する部分の説明を省略し、相違する部分についてのみ説明する。
【００４４】
図４に示すサニタリー容器２は、隔壁２０１により内部空間が上下に仕切られた有底円筒状の本体部２０と、本体部２０上部に配置される蓋２１２と、本体部２０下方に配置された基台部２３０とを備えている。本体部２０が有する底は、底部２０２である。
【００４５】
基台部２３０は、上辺よりも下辺が長い等脚台形の側面を有する四角柱であり、その上面に形成された回転構造部（図示省略）と、本体部２０下面が、回動可能に固着してある。なお、本体部２０下面は、底面２０２の裏側と換言することもできる。
【００４６】
本体部２０は、本体部１０と同様の構成であり、第１空間部２１０は第１空間部１１０と、上部開口部２１１は上部開口部１１１と、第２空間部２２０は第２空間部１２０と、側方開口部２２１は側方開口部１２１と、それぞれ同じ構成である。また、つまみ２１３を有する蓋２１２も蓋１１２と同様の構成である。このため、これらの部分についての説明は省略する。
【００４７】
（作  用）
図４を参照して、サニタリー容器２の作用を説明する。なお、本実施形態において説明するサニタリー容器２の作用は、サニタリー容器１と概ね共通しているため、重複する部分の説明を省略し、相違する部分についてのみ説明する。
【００４８】
基台部２３０によって本体部２０が軸周方向に旋回可能であるため、側方開口部２２１を使用者の正面側または背面側に向ける動作を行うにあたり、本体部２０を持ち上げたり、引きずったりする必要が無く、単に本体部２０を回すだけで上述の動作をスムーズに行うこつができる。
【００４９】
自宅トイレ等の狭い場所では本体部を持ち上げる等の動作が行いにくいため、特に、女性や老人、障害がある者等の力が弱い者にとって、回転動作のみで面を入れ替えできるサニタリー容器２は上述の環境下で好適に使用される。
【００５０】
基台部２３０の存在によって重心が下がるので、サニタリー容器２全体として安定性が向上する。更に、本実施形態においては、基台部２３０が裾広がりな形状であることにより、更に安定性が向上し、転倒防止効果が高まる。
【００５１】
本実施の形態では、基台部は、上辺よりも下辺が長い等脚台形の側面を有する四角柱であるが、これに限定するものではなく、例えば、四角柱その他多角形の柱体、円柱その他の公知形状であってもよく、安定性向上のために裾広がりな形状であることがより好ましい。
【００５２】
なお、基台部２３０と本体部２０の結合部分は、不動の基台部２３０に対して本体部２０が回動可能に構成されていればよく、例えば、基台部２３０上面に設けられたターンテーブル状の回転構造部上に、本体部２０が載置されているだけであってもよい。
【００５３】
〔第３実施形態〕 
本発明の他の実施の形態（第３実施形態）を、図５に基づいて説明する。
なお、本実施形態において説明するサニタリー容器４は、サニタリー容器１と構造が一部共通するため、重複する部分については詳しい説明を省略する。
【００５４】
図５に示すサニタリー容器４は、内部空間を上下に仕切る第１隔壁４０１及び第２隔壁４０２が形成されている有底円筒状の本体部４０と、本体部４０上部に配置される蓋４１２とを備えている。本体部４０が有する底は、底部４０３である。なお、つまみ４１３を有する蓋４１２は、蓋１１２と同様の構成であるため、説明を省略する。
【００５５】
第１隔壁４０１は、本体部４０の高さ方向において、下端から略３分の２の高さとなる位置に水平方向へ形成されている。
第２隔壁４０２は、本体部４０の高さ方向において、下端から略３分の１の高さとなる位置に水平方向へ形成されている。
【００５６】
第１隔壁４０１で仕切られた本体部４０内部空間の上方側は、第１空間部４１０となる。本体部４０上方は開口して上部開口部４１１を構成しており、上部開口部４１１は第１空間部４１０を介して外部と連通している。
【００５７】
第１隔壁４０１と第２隔壁４０２により仕切られ、本体部４０の中間に位置する内部空間は、第２空間部４２０となる。第２空間部４２０が形成された領域と対応する位置の本体部４０側面には、側方開口部４２１が設けられている。側方開口部４２１は、正面視の形状が上方ないし側方が円弧状である半円形に形成されている。第２空間部４２０は側方開口部４２１を介して外部と連通している。
【００５８】
第２隔壁４０２と底部４０３上面の間に位置する内部空間は、第３空間部４３０となる。第３空間部４３０が形成された領域と対応する位置の本体部４０側面には、側方開口部４３１が設けられている。側方開口部４２１は、正面視の形状が上方ないし側方が円弧状である半円形に形成されている。第３空間部４２０は側方開口部４３１を介して外部と連通している。
【００５９】
なお、本実施形態において、本体部は、３つに仕切られた内部空間を有しており、第２空間部と第３空間部は共に、課題を解決するための手段に記載された「下方に位置する空間」に相当する。
【００６０】
（作  用）
図５を参照して、サニタリー容器４の作用を説明する。なお、本実施形態において説明するサニタリー容器４の作用は、サニタリー容器１と概ね共通しているため、重複する部分の説明を省略し、相違する部分についてのみ説明する。
【００６１】
サニタリー容器４は、第２空間部４２０と第３空間部４３０を有しているので、同種の又は異種の物品を収納できる。例えば、デパート等に設置された授乳室兼おむつ替えスペースに設置する場合は、そこで使用する乳幼児用おむつを第３空間部４３０に、お尻拭きを第２空間部４２０に収納すれば、同時に使用する２種類の物品がすぐに取り出せるため、便利が良い。また、２種類の物品とその廃棄物入れが、サニタリー容器４として一体にまとめられているので場所を取らず、省スペース化に貢献する。
【００６２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６３】
１    サニタリー容器
１０    本体部
１０１    隔壁
１０２    底部
１１０    第１空間部
１１１    上部開口部
１１２    蓋
１１３    つまみ
１２０    第２空間部
１２１    側方開口部
２    サニタリー容器
２０    本体部
２０１    隔壁
２０２    底部
２１０    第１空間部
２１１    上部開口部
２１２    蓋
２１３    つまみ
２２０    第２空間部
２２１    側方開口部
２３０    基台部
３    サニタリー容器
３０    本体部
３０１    隔壁
３０２    底部
３１０    第１空間部
３１１    上部開口部
３１２    蓋
３１３    つまみ
３２０    第２空間部
３２１    側方開口部
４    サニタリー容器
４０    本体部
４０１    第１隔壁
４０２    第２隔壁
４０３    底部
４１０    第１空間部
４１１    上部開口部
４１２    蓋
４１３    つまみ
４２０    第２空間部
４２１    側方開口部
４３０    第３空間部
４３１    側方開口部
５１    未使用生理用品
５２    使用済み生理用品
Ｔ    便器
９    サニタリーボックス
９１    ボックス本体
９２    蓋部材
９２１    蓋体
９２２    消臭剤収納部
９３    基台部
【図１】
2015019850.tif 000003
【図２】
2015019850.tif 000004
【図３】
2015019850.tif 000005
【図４】
2015019850.tif 000006
【図５】
2015019850.tif 000007
【図６】
2015019850.tif 000008